(57)【要約】【課題】出射方向が厚くなる上、照明の奥行き感がないという問題を解消する。【解決手段】LED光源とリフレクタと直線状多面プリズムカットを設けたレンズとで構成し、前記LED光源は略全ての光を前記リフレクタへ照射するよう光軸を前記リフレクタに向けて配置し、前記リフレクタにより反射した前記LED光源の光が照射される位置に前記レンズが設けられている構成とする。また、リフレクタに光の反射方向に向かい広がる一対の反射面を形成し、LED光源の反射光をレンズ方向に出射する構成とする。【選択図】        図１
2008289677.tif 000002
【特許請求の範囲】
【請求項１】
少なくとも一つのLED光源とリフレクタと直線状多面プリズムカットを設けたレンズからなるLED補助照明装置において、前記LED光源は略全ての光を前記リフレクタへ照射するよう光軸を前記リフレクタに向けて配置し、前記リフレクタにより反射した前記LED光源の光が照射される位置に前記レンズが設けられていることを特徴とするLED補助照明装置。
【請求項２】
前記リフレクタは、光の反射方向に向かい広がる少なくとも一対の反射面を有し、前記LED光源は、前記一対の反射面の略中間に配置したことを特徴とする、請求項１に記載のLED補助照明装置。
【請求項３】
前記LED光源は、前記リフレクタと前記レンズとの間の側端に配置されていることを特徴とする、請求項１または２に記載のLED補助照明装置。
【請求項４】
前記リフレクタは、凸または凹形状の魚眼レンズ形状を有することを特徴とする、請求項１から請求項３に記載のLED補助照明装置。
【請求項５】
前記LED光源は、複数の色を有する、請求項１から請求項４に記載のLED補助照明装置。
【発明の詳細な説明】
【技術分野】
【０００１】
本発明は、LED（発光ダイオード）を光源とする照明装置に関するものであり、詳細には遊技機器や自動販売機等の補助照明装置に関する。
【背景技術】
【０００２】
近年、LEDは高輝度化と多色化がすすみ、各種の照明装置として開発商品化されている。例えば、車両用灯具や自動販売機の照明等である。
【０００３】
LEDを光源として車両用灯具や自動販売機などの広いレンズ面積を有する照明装置は、LEDの照射角の狭さからLEDを縦横に密接した状態で多数配置しなければならず、コストアップ或いは温度上昇による性能の低下などの問題を生じていた。このため、LEDの総数を低減するために、プリズムカットを設けたレンズを形成する技術が開発され提案されている。
【０００４】
特許文献１には、図４に示すようにLEDを使用した車両用灯具１１が開示されている。ＬＥＤ１２は少なくとも一列の列状に配置さられLED（１３）の線光源を形成している。そのLED（１３）の線光源の前面には図５に示すような多面プリズムカット１５を設けたレンズ１４を配置されている。前記多面プリズムカットは、LED（１３）の線光源に直交する断面に複数の異なる屈折角を組合せて形成されているため、LED（１３）の列の直交方向にも恰もLEDが配置されているように観える。従って、LEDの総数を低減できる利点がある。
【特許文献１】特開平６−１８７８１０
【発明の開示】
【発明が解決しようとする課題】
【０００５】
上記文献は、いずれもLEDの光出射方向にレンズを戴置するものである。このため、車両用灯具１１の光出射方向の厚みが厚くなるという問題が生じていた。また、光出射面積を大きくするためには、LED（１３）の線光源を形成するLED１２の総数を増加させる必要がある。場合によっては複数のLED（１３）の線光源を配置しなくてはならなくなり、LEDの総数が更に増加する問題も生じていた。
【０００６】
さらに、上記の灯具の構成はLED１２の直射光を利用するために、補助照明として柔らかいユーザーフレンドリーな暖か味のある光を必要とする装置には解決が困難な構成である。
【課題を解決するための手段】
【０００７】
上記課題は、少なくとも一つのLED光源とリフレクタと直線状多面プリズムカットを設けたレンズからなるLED補助照明装置において、前記LED光源は略全ての光を前記リフレクタへ照射するよう光軸を前記リフレクタに向けて配置し、前記リフレクタにより反射した前記LED光源の光が照射される位置に前記レンズが設けられていることで、解決される。
【０００８】
前記リフレクタは、光の反射方向に向かい広がる少なくとも一対の反射面を有し、前記LED光源は、前記一対の反射面の略中間に配置してもよい。
【０００９】
また、前記LED光源は、前記リフレクタと前記レンズとの間の側端に配置されていてもよい。
【００１０】
また、前記リフレクタは、凸または凹形状の魚眼レンズ形状を有していてもよい。
【００１１】
さらに、前記LED光源は、複数の色を有するものとしてもよい。
【発明の効果】
【００１２】
本発明の構成により、LED光源をリフレクタとレンズ間に配置し、LED光源の直射光をリフレクタで一度反射させる事によって、間接照明により柔らかい暖か味のある照明を構成しながら、照射方法に薄い装置を実現できる効果がある。更には、LED光源の総数及びLED光源を構成するLED素子を減少させながら、発光面積を広くする効果も兼ね備えている。
【００１３】
また、一つのLED光源に対して複数の反射面を形成し、更に前記構成を複数配置することにより、従来にない奥行き感のある、深みを有する照明を提供できる効果もある。そして、前記リフレクタの反射面を凸または凹形状の魚眼レンズ形状を施すことにより、きらびやかな見栄えを演出する事も可能である。
【発明を実施するための最良の形態】
【００１４】
以下、図を参照しながら本発明の実施形態を説明する。
【００１５】
図１は、本発明の代表的な実施形態の斜視図であり、図２はLED光源からの出射方向を示すための図１の断面図である。LED光源１を配置した基板２を、リフレクタ４とレンズ５間の底部（側端）に設けている。LED光源１は一対の向き合う反射面４ａ、４ｂ間のほぼ中央の下部に位置するように、配置されている。このため、LED光源１から出射される光は、反射面４ａ、４ｂでほぼ均等にレンズ５方向に反射光が出射される。
【００１６】
前記リフレクタ４は、前記LED光源１からの光を反射する反射方向に広がるように、一対の平面状の反射面４ａ、４ｂが形成されている。
なお、エクステンション３は、LED光源１を搭載した基板２、反射面４ａ、４ｂを含むリフレクタ４及びレンズ５を固定する筐体である。
【００１７】
レンズ５には、前記したように直線状多面プリズムカットが施されている。本実施例では、前記線状多面プリズムカット方向をレンズ５の上下方向に設置し、更にリフレクタ４に魚眼レンズを形成した場合に、LED光源１を点灯した際の正面図を図３に示す。
【００１８】
LED光源１から出射された光は、反射面４ａ、４ｂで反射された左右対称の反射光がレンズ５の直線状多面プリズムカットを通過することにより、左右対称の反射光の虚像が重なり合う。したがって、間接照明による柔らかい光に加え、実際の照明装置の奥行きに比べ、奥行き感のある臨場感あふれる照明を提供できる。
【００１９】
さらに、LED光源１の出射光をリフレクタ４全体で反射光とするため、少ないLED素子によるLED光源１で面照明として発光面積を大きくできる利点を有している。
【００２０】
本実施例では、LED光源１を３個、リフレクタ４の前面底部に配置したが、リフレクタ４の上面或いは左右に設置することも可能である。また、前記の組み合わせによる配置でも良く、特に限定することはない。
【００２１】
更に、配置するLED光源１の個数に限定することはない。例えば、１個のLED光源１の中に多数のLED素子を含めることで1個のLED光源１の輝度を高め、1個或いは2個等の少ないLED光源１を使用することも可能である。その場合、リフレクタ４の中の反射面を多数形成することで、本実施例と同等の効果を出すことも可能である。また、1個のLED素子で１個のLED光源１とし、多数のLED光源１を使用して、本実施例と同等の効果を出すこともできる。
【００２２】
また、LED素子の色も限定することはない。複数の色のLED素子をLED光源１に含めて、LED素子の点灯素子を切替えることで、多色のLED補助照明装置にすることもできる。また、複数の色のLED光源１を使用して、複数の色の照明装置にすることも可能である。
【００２３】
リフレクタ４の形状も本実施例に限定することはない。反射面４a、４ｂを更に上下2面などの複数の反射面にしてもよい。また、同様に左右の複数面或いは上下左右の複数面にしてもよい。また、反射面４a、４ｂを左右対称にすることなく、さまざまな形状にすることも可能である。
【００２４】
更に、リフレクタ４は平面に限定することなく、凸または凹形状の魚眼レンズ形状であってもよい。魚眼レンズ形状は、縦または横断面で法物面形状、楕円面形状あるいは自由曲面形状でもよい。
【００２５】
本実施例では、レンズ５に形成する直線状多面プリズムカットを上下方向に配置したが、用途によっては左右方向或いは斜め方向に形成してもよい。
【産業上の利用可能性】
【００２６】
上述した実施形態においては、白色のLED光源を使用することにより、蛍光灯色に近い補助照明を提供することができる。また、LED素子を赤色、青色、黄色の３色を含むLED光源にすることにより、さまざまな色を出すLED補助照明にすることも可能である。
【００２７】
このため、遊技機器の照明や大当たりの際に示す表示装置などにも使用可能である。また、自動販売機なの補助照明や暖かい飲み物や冷たい飲み物、更には売れ切りを示す表示装置などにも使用できる。そして、室内のインテリア照明やショウ-ケースなどの補助照明にも使用されてもよい。
【００２８】
このように、本発明によれば、出射方向に薄く、少ないLED光源で発光面積を最大限に活用して、柔らかく奥行きの深い臨場感あふれる照明を提供する。
【図面の簡単な説明】
【００２９】
【図１】本発明の代表的な実施形態を示す斜視図である。
【図２】本発明のLED光源の出射方向を示す図１の断面図である。
【図３】本発明のLED光源の点灯時の正面視を示す図である。
【図４】従来例を示す断面図である。
【図５】従来例の直線状多面プリズムカットの部分の拡大斜視図である。
【００３０】
１          LED光源
２          基板
３          エクステンション
４          リフレクタ
５          レンズ
【図１】
2008289677.tif 000003
【図２】
2008289677.tif 000004
【図３】
2008289677.tif 000005
【図４】
2008289677.tif 000006
【図５】
2008289677.tif 000007